(57)【要約】      （修正有）【課題】字幕が投射画像から外れるという問題点を解決する投射型表示装置を提供する。【解決手段】ＣＰＵ３は、画像信号の歪みを補正するための補正量を求める。スケーラ４は、その補正量に基づいて、画像信号の歪みを補正する。字幕信号処理回路５は、その補正量に基づいて、字幕信号で示される字幕の全てが表示されるように字幕信号の表示内容を調整する。表示画像生成回路６は、字幕信号処理回路５が表示内容を調整した字幕信号を、スケーラ４が補正した画像信号に合成する。投射部７は、その合成された画像信号を投射する。【選択図】図１
2009177581.tif 000002
【特許請求の範囲】
【請求項１】
画像信号および字幕信号を受け付ける信号入力手段と、
前記画像信号の歪みを補正するための補正量を求める制御手段と、
前記制御手段が求めた補正量に基づいて、前記画像信号の歪みを補正する補正手段と、
前記制御手段が求めた補正量に基づいて、前記字幕信号で示される全ての字幕が表示されるように、前記字幕信号の表示内容を調整する処理手段と、
前記処理手段にて前記表示内容が調整された字幕信号を、前記補正手段が補正した画像信号に合成する合成手段と、
前記合成手段が合成した画像信号に応じた画像を投射する投射手段と、を含む投射型表示装置。
【請求項２】
請求項１に記載の投射型表示装置において、
前記処理手段は、前記字幕信号が示す字幕の表示領域を調整し、該調整された表示領域内に収まる前記字幕の一行当たりの最大の文字数を求め、前記字幕の文字数が前記最大の文字数より多い場合、前記字幕の一行当たりの文字数が前記最大の文字数以下で表示されるように、前記字幕信号を調整する、投射型表示装置。
【請求項３】
請求項２に記載の投射型表示装置において、
前記処理手段は、前記字幕の文字数が前記最大の文字数より多い場合、前記字幕が複数行表示されるように、前記字幕信号を調整する、投射型表示装置。
【請求項４】
請求項２に記載の投射型表示装置において、
前記処理手段は、前記字幕の文字数が前記最大の文字数より多い場合、前記字幕がスクロール表示されるように、前記字幕信号を調整する、投射型表示装置。
【請求項５】
画像信号および字幕信号を受け付け、
前記画像信号の歪みを補正するための補正量を求め、
前記求められた補正量に基づいて、前記画像信号の歪みを補正し、
前記求められた補正量に基づいて、前記字幕信号で示される全ての字幕が表示されるように前記字幕信号の表示内容を調整し、
前記前記表示内容が調整された調整された字幕信号を、前記補正された画像信号に合成し、
前記合成された画像信号に応じた画像を投射する、字幕表示方法。
【請求項６】
請求項５に記載の字幕表示方法において、
前記字幕信号が示す字幕の表示領域を調整し、該表示領域内に収まる前記字幕の一行当たりの最大の文字数を求め、
前記字幕の文字数が前記最大の文字数より多い場合、前記字幕の一行当たりの文字数が前記最大の文字数以下で表示されるように、前記字幕信号を調整する、字幕表示方法。
【請求項７】
請求項６に記載の字幕表示方法において、
前記字幕の文字数が前記最大の文字数より多い場合、前記字幕が複数行表示されるように、前記字幕信号を調整する、字幕表示方法。
【請求項８】
請求項６に記載の字幕表示方法において、
前記字幕の文字数が前記最大の文字数より多い場合、前記字幕がスクロール表示されるように、前記字幕信号を調整する、字幕表示方法。
【発明の詳細な説明】
【技術分野】
【０００１】
本発明は、字幕表示機能を有する投射型表示装置および字幕表示方法に関する。
【背景技術】
【０００２】
プロジェクタ等の投射型表示装置では、投射型表示装置の投射光軸とスクリーンとの相対関係によって、投射画像に台形歪みが生じることがある。このため、投射型表示装置には、通常、台形歪みを補正する手段が備わっている。
【０００３】
また、投射型表示装置では、台形歪みを補正した投射画像に、ＯＳＤ（オンスクリーン表示：On Screen Display）画像を合成し、その合成画像を投射する場合がある。この場合、ＯＳＤ画像は、台形歪みが補正された投射画像から外れ、スクリーンからはみ出す場合がある。
【０００４】
ＯＳＤ画像を台形歪みが補正された投射画像から外れることなく表示することが可能な技術には、特許文献１に記載された投射型表示装置がある。
【０００５】
この投射型表示装置は、台形歪みが補正される前の投射画像上の基準点の座標（補正前座標）と、台形歪みが補正された後の基準点の座標（補正後座標）とを取得する。投射型表示装置は、その補正前座標および補正後座標の差分に基づいてＯＳＤ画像の表示範囲を移動させる。
【０００６】
画像歪みの補正は、スクリーン面積を考慮して画像を縮小する方向で行われる。特許文献１に記載の発明では、ＯＳＤ画像の位置のみを変更して、その大きさは変更しない。このため、特許文献１に記載の投射型表示装置は、ＯＳＤ画像が移動後の表示範囲内に収まっているか否かを検証し、ＯＳＤ画像が表示範囲内に収まっていないと、ＯＳＤメニュー項目の一部を予め登録された優先順位に従い削除してＯＳＤ画像を表示する。
【０００７】
これにより、ＯＳＤ画像を台形歪みが補正された投射画像から外れることなく表示することが可能になる。
【特許文献１】特開２００７−１９３２０４号公報
【発明の開示】
【発明が解決しようとする課題】
【０００８】
一般に、投射型表示装置では、ＯＳＤ画像とは別に、字幕を投射画像に合成する場合がある。この場合、字幕は、台形歪みが補正された投射画像に合成されると、ＯＳＤ画像と同様に、その投射画像から外れることがある。
【０００９】
この場合、字幕が投射画像から外れることなく表示されるように、特許文献１に記載の投射型表示装置がＯＳＤ画像に対して行った方法を字幕に適用し、削除が実行された場合には、字幕の一部が欠けることとなり、字幕としての役割を果たすことができないという問題が生じる。なお、字幕の各文字のサイズを小さくすることで、字幕を表示範囲内に収めることが可能であるが、文字が小さくなると、文字が見づらくなり、字幕としての役割を果たすことができなくなることがある。
【００１０】
また、投射型表示装置の投射光軸とスクリーンとの相対関係によって生じる投射画像の歪みは、台形歪みに限らず、一般的に歪んだ四辺形となる。上記の問題は、投射画像のこの一般的な歪みが補正された場合でも生じる。
【００１１】
本発明の目的は、上記の課題である、字幕が欠けるという問題を解決する投射型表示装置および字幕表示方法を提供することである。
【課題を解決するための手段】
【００１２】
本発明による投射型表示装置は、画像信号および字幕信号を受け付ける信号入力手段と、前記画像信号の歪みを補正するための補正量を求める制御手段と、前記制御手段が求めた補正量に基づいて、前記画像信号の歪みを補正する補正手段と、前記制御手段が求めた補正量に基づいて、前記字幕信号で示される全ての字幕が表示されるように、前記字幕信号の表示内容を調整する処理手段と、前記処理手段にて前記表示内容が調整された字幕信号を、前記補正手段が補正した画像信号に合成する合成手段と、前記合成手段が合成した画像信号に応じた画像を投射する投射手段と、を含む。
【００１３】
また、本発明による字幕表示方法は、画像信号および字幕信号を受け付け、前記画像信号の歪みを補正するための補正量を求め、前記求められた補正量に基づいて、前記画像信号の歪みを補正し、前記求められた補正量に基づいて、前記字幕信号で示される全ての字幕が表示されるように前記字幕信号の表示内容を調整し、記表示内容が調整された字幕信号を、前記補正された画像信号に合成し、前記合成された画像信号に応じた画像を投射する。
【発明の効果】
【００１４】
本発明によれば、同じ補正量が用いられて投射画像および字幕の歪みが補正されるので、投射画像内に確実に字幕が収まることとなり、字幕を欠けることなく表示することが可能になる。
【発明を実施するための最良の形態】
【００１５】
以下、本発明の実施形態について図面を参照して説明する。
【００１６】
図１は、第一の実施形態の投射型表示装置の構成を示したブロック図である。
【００１７】
図１において、投射型表示装置１は、信号入力部２と、ＣＰＵ３と、スケーラ（歪補正回路）４と、字幕信号処理回路５と、表示画像生成回路６と、投射部７とを含む。
【００１８】
信号入力部２は、画像信号および字幕信号を受け付ける。なお、字幕信号は、テキスト情報であるとする。また、字幕信号には、その字幕信号に関するメタ情報が付けられていてもよい。メタ情報は、例えば、字幕の表示領域を示す領域情報である。
【００１９】
ＣＰＵ３は、制御手段の一例である。ＣＰＵ３は、画像信号の歪みを補正するための補正量を求める。ここで、ＣＰＵ３は、補正量を、加速度センサまたは光学センサなどの各種センサで測定された傾斜角度から求めてもよいし、ユーザにて設定された補正量を用いてもよい。なお、傾斜角度は、投射型表示装置１の投射光軸の、垂直方向および水平方向のそれぞれに対する角度である。
【００２０】
補正量は、歪みが補正された画像信号に応じた画像の表示領域を示す情報である。補正量は、例えば、画像信号の垂直方向の位置ごとの水平方向の圧縮率と、画像信号の水平方向の位置ごとの垂直方向の圧縮率とからなる。また、補正量は、画像信号の垂直方向の位置ごとの、補正前の画像信号の水平方向画角と補正後の画像信号の水平方向画角との差分と、画像信号の水平方向の位置ごとの、補正前の画像信号の垂直方向画角と補正後の画像信号の垂直方向画角との差分とでもよい。
【００２１】
例えば、投射光軸が上向きの状態で投射型表示装置１が設置された場合、画像信号に応じた投射画像は、逆台形（上底が下底より長い台形）になる。このとき、画像信号の水平方向の圧縮率は、画像の上底が最も高く、下底に向かって徐々に低くなる。また、画像信号の水平方向の圧縮率は、一定である。
【００２２】
スケーラ４は、補正手段の一例である。スケーラ４は、ＣＰＵ３が求めた補正量に基づいて画像信号の歪みを補正する。
【００２３】
字幕信号処理回路５は、処理手段の一例である。字幕信号処理回路５は、ＣＰＵ３が求めた補正量に基づいて、字幕信号で示される全ての字幕が表示されるように字幕信号の表示内容を調整する。なお、字幕信号の表示内容は、例えば、字幕信号で示される字幕の表示領域や、字幕信号の表示方法などである。
【００２４】
例えば、字幕信号処理回路５は、補正量に基づいて、字幕信号に付けられた領域情報が示す表示領域内の基準点の、画像信号の補正前の座標と、その補正後の座標との差分を算出する。字幕信号処理回路５は、その差分だけ表示領域の位置を調整する。なお、字幕信号処理回路５は、調整前の字幕信号の表示領域を示す領域情報を保持していてもよい。
【００２５】
続いて、字幕信号処理回路５は、補正量に基づいて、表示領域の大きさを調整する。例えば、字幕信号処理回路５は、基準点の垂直方向の位置の水平方向の圧縮率が高いほど、表示領域の水平方向の長さが短くなるように、表示領域の水平方向の大きさを調整する。
【００２６】
また、字幕信号処理回路５は、全ての字幕がその調整された表示領域内に収まるように字幕信号を調整する。
【００２７】
具体的には、字幕信号処理回路５は、先ず、字幕の位置を調整する。例えば、字幕信号処理回路５は、字幕の基準字幕位置が表示領域内の所定位置になるように、字幕信号を調整する。基準字幕位置は、例えば、字幕の中心位置であり、所定位置は、表示領域の中心位置である。
【００２８】
続いて、字幕信号処理回路５は、全ての字幕がその調整された表示領域内に収まっているか否かを確認する。字幕信号処理回路５は、少なくとも一部の字幕がその調整された表示領域内に収まっていないと、字幕が複数行表示やスクロール表示されるように、字幕信号を調整する。
【００２９】
表示画像生成回路６は、合成手段の一例である。表示画像生成回路６は、字幕信号処理回路５が表示内容を調整した字幕信号を、スケーラ４が補正した画像信号に合成する。
【００３０】
投射部７は、表示画像生成回路６が合成した画像信号を投射する。
【００３１】
次に投射画像について説明する。
【００３２】
図２は、画像信号の歪みを補正する必要がない場合の投射画像を示した説明図である。図２において、投射画像１０は、字幕１１を含む。ここで、字幕１１は、投射画像１０に収まっている。
【００３３】
図３は、画像の歪みを補正した場合の投射画像を示した説明図である。図３において、投射エリア２０は、歪みが補正されない場合に、投射画像が投射されるエリアを示す。画像信号の歪みが補正されることによって、投射画像は、歪みが補正された補正画像２１として表示される。
【００３４】
字幕は、字幕の表示内容が調整されない場合、補正画像２１から外れて字幕２３のように表示される。字幕信号処理回路５は、字幕が字幕２２として表示されるように、字幕の表示内容を調整する。
【００３５】
次に動作を説明する。
【００３６】
図４は、投射型表示装置１の動作例を説明するためのフローチャートである。
【００３７】
ステップＳ１では、ＣＰＵ３は、補正量を求め、その補正量をスケーラ４および字幕信号処理回路５に出力する。スケーラ４は、補正量を受け付けると、その補正量を自己に設定する。また、字幕信号処理回路５は、補正量を受け付けると、補正量を自己に設定する。
【００３８】
その後、信号入力部２は、画像信号および字幕信号を受け付けると、ステップＳ２を実行する。
【００３９】
ステップＳ２では、信号入力部２は、画像信号をスケーラ４に出力し、字幕信号を字幕信号処理回路５に出力する。
【００４０】
スケーラ４は、画像信号を受け付けると、画像信号の歪みを、自己に設定されている補正量に基づいて補正する。スケーラ４は、その補正した画像信号を表示画像生成回路６に出力する。
【００４１】
また、字幕信号処理回路５は、その字幕信号を受け付けると、ステップＳ３を実行する。
【００４２】
ステップＳ３では、字幕信号処理回路５は、自己に設定されている補正量に基づいて、表示領域内の基準点の、画像信号の補正前の座標と、その補正後の座標との差分を算出する。字幕信号処理回路５は、その差分だけ表示領域の位置を調整する。字幕信号処理回路５は、表示領域の位置を調整すると、ステップＳ４を実行する。
【００４３】
ステップＳ４では、字幕信号処理回路５は、補正量に基づいて、表示領域の大きさを調整する。例えば、字幕信号処理回路５は、基準点の垂直方向の位置の水平方向の圧縮率が高いほど、表示領域の水平方向の長さが短くなるように、表示領域の水平方向の大きさを調整する。字幕信号処理回路５は、表示領域の大きさを調整すると、ステップＳ５を実行する。
【００４４】
ステップＳ５では、字幕信号処理回路５は、字幕がその調整された表示領域内に収まるように、字幕信号を調整し、その調整した字幕信号を表示画像生成回路６に出力する。
【００４５】
表示画像生成回路６は、ステップＳ２で出力された画像信号と、ステップＳ５で出力された字幕信号とを受け付けると、ステップＳ６を実行する。
【００４６】
ステップＳ６では、表示画像生成回路６は、その字幕信号をその画像信号に合成し、その画像信号を投射部７に出力する。投射部７は、画像信号を受け付けると、ステップＳ７を実行する。
【００４７】
ステップＳ７では、投射部７は、その画像信号に応じて動作し、その画像信号に応じた画像を投射する。
【００４８】
次に効果を説明する。
【００４９】
本実施形態によれば、ＣＰＵ３は、画像信号の歪みを補正するための補正量を求める。スケーラ４は、その補正量に基づいて、画像信号の歪みを補正する。字幕信号処理回路５は、その補正量に基づいて、字幕信号で示される字幕の全てが表示されるように字幕信号の表示内容を調整する。表示画像生成回路６は、字幕信号処理回路５が表示内容を調整した字幕信号を、スケーラ４が補正した画像信号に合成する。投射部７は、その合成された画像信号を投射する。
【００５０】
この場合、字幕の表示内容が、画像の歪みを補正するための補正量に基づいて、全ての字幕が表示されるように調整される。このため、同じ補正量が用いられて投射画像および字幕の歪みが補正されるので、投射画像内に確実に字幕が収まることとなり、字幕を欠けることなく表示することが可能になる。
【００５１】
次に第二の実施形態について説明する。
【００５２】
図５は、本発明の第二の実施形態の投射型表示装置を示したブロック図である。なお、図５において、図１で示したものと同じ機能を有するものには同じ符号を付し、その機能の説明を省略することがある。
【００５３】
図５において、投射型表示装置１は、図１で示した構成に加え、傾斜角度検出回路８を含む。また、投射部７は、表示デバイス駆動部７ａと、投射レンズ７ｂとを含む。
【００５４】
信号入力部２は、映像信号を受け付ける。映像信号は、画像信号および字幕信号を含む。
【００５５】
傾斜角度検出回路８は、加速度センサまたは光学センサを有し、投射型表示装置１の投射光軸の水平方向および垂直方向のそれぞれに対する傾斜角度を求める。
【００５６】
例えば、傾斜角度検出回路８は、光学センサとして、映像の投射軸の垂直方向および水平方向のそれぞれに直線状に配置された複数の光検出素子を有する。この場合、投射部７が均一輝度の映像をスクリーンに投射する。傾斜角度検出回路８は、そのスクリーンからの反射光の照度レベルを各光検出素子で検出し、照度レベルの重心を求める。傾斜角度検出回路８は、照度レベルの重心と傾斜角度との相関関係を示す情報を保持し、その情報において、その求めた照度レベルの重心に対応する傾斜角度を、投射型表示装置１の投射光軸の水平方向および垂直方向に対する傾斜角度として求める。
【００５７】
ＣＰＵ３は、傾斜角度検出回路８が求めた傾斜角度に基づいて補正量を求める。例えば、図示していないメモリなどの記録部に、補正量と傾斜角度との相関関係を示す情報を記録しておく。ＣＰＵ３は、その情報において、傾斜角度検出回路８が求めた傾斜角度に対応する補正量を、画像信号の歪みを補正するための補正量として求める。
【００５８】
字幕信号処理回路５は、ＣＰＵ３が求めた補正量に基づいて、表示領域の位置および大きさを調整する。
【００５９】
また、字幕信号処理回路５は、ＣＰＵ３が求めた補正量に基づいて、字幕の各文字の適切なフォントサイズを求める。例えば、字幕信号処理回路５は、補正量とフォントサイズとの相関関係を示す情報を保持する。字幕信号処理回路５は、その情報において、ＣＰＵ３が求めた補正量に対応するフォントサイズを、字幕の各文字の適切なフォントサイズとして求める。
【００６０】
また、字幕信号処理回路５は、調整した表示領域に収まる字幕の一行当たりの最大の文字数を求める。例えば、字幕信号処理回路５は、調整した表示領域の水平方向の長さを求める。そして、字幕信号処理回路は、字幕の各文字のフォントサイズや字間の長さを用いて、その水平方向の長さに収まる字幕の一行当たりの最大の文字数を求める。なお、字間の長さは、フォントサイズに応じて定められていてもよいし、一意に定められていてもよい。
【００６１】
字幕信号処理回路５は、字幕の一行当たりの文字数がその最大の文字数以下で表示されるように、字幕信号を調整する。
【００６２】
具体的には、字幕信号処理回路５は、字幕信号に基づいて、字幕の文字数を求める。字幕信号処理回路５は、字幕の文字数がその最大の文字数より大きいか否かを判断する。字幕信号処理回路５は、字幕の文字数がその最大の文字数より多い場合、字幕の一行当たりの文字数がその最大の文字数以下で表示されるように、字幕信号を調整する。
【００６３】
例えば、字幕信号処理回路５は、字幕が複数行表示されるように、字幕信号を調整する。また、字幕信号処理回路５は、字幕がスクロール表示されるように、字幕信号を調整する。ここで、スクロール方向、スクロール速度、および、ループ表示の有無などは、予め設定されていてもよいし、ユーザにて設定されてもよい。
【００６４】
図６は、字幕の一例を示した説明図である。
【００６５】
字幕３１は、画像信号の歪みが補正されていないときの字幕である。字幕３１では、ＡからＺまでの２６文字が一行で表示されている。
【００６６】
画像信号の歪みが補正され、表示領域が調整されたとする。このとき、その調整された表示領域に収まる字幕の一行当たりの最大の文字数は、１３文字であるとする。
【００６７】
字幕３２および３３は、画像信号の歪みが補正されたときの字幕である。具体的には、字幕３２は、複数行表示された字幕であり、字幕３３は、スクロール表示された字幕である。
【００６８】
字幕３２では、ＡからＺまでは、１３文字目のＭで改行され、２行で表示されている。また、字幕３３は、ＡからＺまでが右から左にスクロールされている。
【００６９】
図５に戻る。表示デバイス駆動部７ａは、表示画像生成回路６が合成した画像信号に応じて駆動して、その画像信号に応じた画像を投射レンズ７ｂを介して投射する。
【００７０】
次に動作を説明する。
【００７１】
図７は、本実施形態の投射型表示装置１の動作を説明するためのフローチャートである。
【００７２】
ステップＴ１では、傾斜角度検出回路８は、投射型表示装置１の投射光軸の垂直方向に対する傾斜角度を求め、その傾斜角度をＣＰＵ３に出力する。ＣＰＵ３は、その傾斜角度を受け付けると、ステップＴ２を実行する。
【００７３】
ステップＴ２では、ＣＰＵ３は、その傾斜角度に基づいて、画像信号の歪みを補正するための補正量を求める。ここでは、ＣＰＵ３は、補正量として、画像信号の垂直方向の位置ごとの水平方向の圧縮率と、画像信号の水平方向の位置ごとの垂直方向の圧縮率とを求めたものとする。
【００７４】
ＣＰＵ３は、補正量を求めると、その補正量をスケーラ４および字幕信号処理回路５に出力する。スケーラ４は、補正量を受け付けると、その補正量を自己に設定する。また、字幕信号処理回路５は、補正量を受け付けると、補正量を自己に設定する。
【００７５】
その後、信号入力部２は、映像信号を受け付けると、ステップＴ３を実行する。
【００７６】
ステップＴ３では、信号入力部２は、映像信号をスケーラ４および字幕信号処理回路５に出力する。
【００７７】
スケーラ４は、映像信号を受け付けると、その映像信号から画像信号を抽出する。スケーラ４は、画像信号の歪みを、設定されている補正量に基づいて補正する。スケーラ４は、その補正した画像信号を表示画像生成回路６に出力する。表示画像生成回路６は、その画像信号を受け付ける。
【００７８】
また、字幕信号処理回路５は、映像信号を受け付けると、ステップＴ４を実行する。
【００７９】
ステップＴ４では、字幕信号処理回路５は、映像信号から字幕信号を抽出する。また、字幕信号処理回路５は、自己に設定されている補正量に基づいて、表示領域の位置を調整する。字幕信号処理回路５は、表示領域の位置を調整すると、ステップＴ５を実行する。
【００８０】
ステップＴ５では、字幕信号処理回路５は、補正量に基づいて、表示領域の大きさを調整する。字幕信号処理回路５は、表示領域の大きさを調整すると、ステップＴ６を実行する。
【００８１】
ステップＴ６では、字幕信号処理回路５は、補正量に基づいて、字幕の各文字の適切なフォントサイズを求め、字幕の各文字がその求めたフォントサイズになるように字幕信号を調整する。字幕信号処理回路５は、ステップＴ６を終了すると、ステップＴ７を実行する。
【００８２】
ステップＴ７では、字幕信号処理回路５は、字幕信号処理回路５は、字幕の基準字幕位置が表示領域内の所定位置になるように、字幕信号を調整する。字幕信号処理回路５は、ステップＴ７を終了すると、ステップＴ８を実行する。
【００８３】
ステップＴ８では、字幕信号処理回路５は、調整した表示領域の水平方向の長さを求める。そして、字幕信号処理回路は、字幕の文字のフォントサイズや字間の長さを用いて、その水平方向の長さに収まる字幕の一行当たりの最大の文字数を求める。
【００８４】
字幕信号処理回路５は、その最大の文字数を求めると、ステップＴ９を実行する。
【００８５】
ステップＴ９では、字幕信号処理回路５は、字幕信号に基づいて、字幕の文字数を求め、その字幕の文字数が最大の文字数より大きいか否かを判断する。字幕信号処理回路５は、字幕の文字数がその最大の文字数より多いと、ステップＴ１０を実行し、字幕の文字数がその最大の文字数以下であると、ステップＴ１１を実行する。
【００８６】
ステップＴ１０では、字幕信号処理回路５は、調整された表示領域内に字幕が収まるように、字幕信号を処理する。
【００８７】
例えば、字幕信号処理回路５は、字幕を複数行表示する場合、最大の文字数となる位置を改行位置として字幕が複数行表示されるように字幕信号を処理する。このとき、字幕信号処理回路５は、字幕の改行数に応じて、字幕の垂直方向の表示領域を再調整する。例えば、字幕信号処理回路５は、改行数に応じて値だけ表示領域を垂直方向に伸ばす。
【００８８】
また、字幕をスクロール表示する場合、字幕信号処理回路５は、一度に表示される文字数が最大の文字数以下で字幕がスクロール表示されるように、字幕信号を処理する。
【００８９】
字幕信号処理回路５は、ステップＴ１０を終了すると、ステップＴ１１を実行する。
【００９０】
ステップＴ１１では、字幕信号処理回路５は、字幕信号を表示画像生成回路６に出力する。
【００９１】
表示画像生成回路６は、字幕信号を受け付けると、その字幕信号をステップＴ３で受け付けた画像信号と合成し、その合成した画像信号を表示デバイス駆動部７ａに出力する。表示デバイス駆動部７ａは、画像信号を受け付けると、ステップＴ１２を実行する。
【００９２】
ステップＴ１２では、表示デバイス駆動部７ａは、その画像信号に応じて駆動して、その画像信号に応じた画像を投射レンズ７ｂを介して投射する。
【００９３】
次に効果を説明する。
【００９４】
本実施形態によれば、字幕信号処理回路５は、調整された表示領域に収まる字幕の一行値の最大の文字数を求める。また、字幕信号処理回路５は、字幕の一行当たりの文字数がその最大文字数以下で表示されるように字幕信号を調整する。
【００９５】
この場合、字幕信号が、字幕の一行当たりの文字数が最大文字数以下で表示されるように調整される。したがって、字幕のフォントサイズや字間の長さを変更しなくても、字幕をその調整された表示領域内に収めることが可能になる。したがって、見易さを確保しながら、字幕をその調整された表示領域内に収めることが可能になる。
【００９６】
また、本実施形態では、字幕信号処理回路５は、字幕の文字数が最大文字数より多い場合、字幕が複数行表示されるように、字幕信号を調整する。
【００９７】
この場合、字幕が複数行表示される。このため、字幕を一度に表示することが可能になる。
【００９８】
また、本実施形態では、字幕信号処理回路５は、字幕の文字数が最大文字数より多い場合、字幕がスクロール表示されるように、字幕信号を調整する。
【００９９】
この場合、字幕がスクロール表示される。このため、字幕の表示領域の拡大を抑制することが可能になる。
【０１００】
また、本実施形態では、スケーラ４、表示画像生成回路６および投射部７などは従来のものを用いているため、字幕を欠けることなく表示することためのコストアップを少なくすることができる。
【０１０１】
以上説明した各実施形態において、図示した構成は単なる一例であって、本発明はその構成に限定されるものではない。
【図面の簡単な説明】
【０１０２】
【図１】本発明の第一の実施形態の投射型表示装置の構成を示したブロック図である。
【図２】投射画像の一例を示した説明図である。
【図３】投射画像の他の例を示した説明図である。
【図４】本発明の第二の実施形態の投射型表示装置の動作例を説明するためのフローチャートである。
【図５】本発明の第二の実施形態の投射型表示装置の構成を示したブロック図である。
【図６】字幕の一例を示した説明図である。
【図７】本発明の第二の実施形態の投射型表示装置の動作例を説明するためのフローチャートである。
【符号の説明】
【０１０３】
１        投射型表示装置
２        信号入力部
３        ＣＰＵ
４        スケーラ
５        字幕信号処理回路
６        表示画像生成回路
７        投射部
７ａ      表示デバイス駆動部
７ｂ      投射レンズ
８        傾斜角度検出回路
【図１】
2009177581.tif 000003
【図２】
2009177581.tif 000004
【図３】
2009177581.tif 000005
【図４】
2009177581.tif 000006
【図５】
2009177581.tif 000007
【図６】
2009177581.tif 000008
【図７】
2009177581.tif 000009